(57)【要約】【課題】医師の処方あるいは運動メニューの実施に伴う経過観察用のレポートに関して、バリエーション豊富なレポートを提供し、ユーザの利便性を向上させること。【解決手段】在宅酸素療法管理装置１３０のデータ解析部１３３は、医師の処方の実施の対象者から測定された生体情報と処方内容情報とを含むレポート用データを取得し、取得されたレポート用データに基づいて、処方実施に伴う経過観察用のレポートを編集し、編集されたレポートを出力する。データ解析部１３３は、レポートの出力レイアウトに関する指定とレポートの出力コンテンツに関する指定とをユーザから個別に受け付け、指定された出力コンテンツを、取得されたレポート用データに基づいて生成し、生成された出力コンテンツを、指定された出力レイアウトに従って配置する。【選択図】図２
2011177236.tif 000002
【特許請求の範囲】
【請求項１】
医師の処方または運動メニューの実施の対象者から測定された生体情報と前記医師の処方または運動メニューの内容情報とを含むレポート用データを取得する取得手段と、
取得されたレポート用データに基づいて、前記医師の処方または運動メニューの実施に伴う経過観察用のレポートを編集する編集手段と、
編集されたレポートを出力する出力手段と、を有し、
前記編集手段は、
前記レポートの出力レイアウトに関する指定と前記レポートの出力コンテンツに関する指定とをユーザから個別に受け付け、
指定された出力コンテンツを、取得されたレポート用データに基づいて生成し、
生成された出力コンテンツを、指定された出力レイアウトに従って配置する、
生体情報処理装置。
【請求項２】
複数の描画領域をそれぞれ有する複数の設定レイアウトが予め設定され、
前記複数の描画領域において出力可能な複数の設定コンテンツが予め設定され、
前記編集手段は、
レポート毎の出力レイアウトとして、前記複数の設定レイアウトのうち一つの設定レイアウトの指定を受け付け、
前記複数の描画領域のうち一つの描画領域における出力コンテンツとして、前記複数の設定コンテンツのうち一つの設定コンテンツの指定を受け付ける、
請求項１記載の生体情報処理装置。
【請求項３】
前記編集手段は、
前記複数の描画領域のそれぞれにおける出力コンテンツとして、別々の設定コンテンツの指定を受け付ける、
請求項２記載の生体情報処理装置。
【請求項４】
前記複数の描画領域のそれぞれにおいて出力可能な設定コンテンツの種類は、描画領域毎に制限されている、
請求項３記載の生体情報処理装置。
【請求項５】
生体情報処理装置により実行される生体情報処理方法であって、
医師の処方または運動メニューの実施の対象者から測定された生体情報と前記医師の処方または運動メニューの内容情報とを含むレポート用データを取得する取得ステップと、
取得されたレポート用データに基づいて、前記医師の処方または運動メニューの実施に伴う経過観察用のレポートを編集する編集ステップと、
編集されたレポートを出力する出力ステップと、を有し、
前記編集ステップは、
前記レポートの出力レイアウトに関する指定と前記レポートの出力コンテンツに関する指定とをユーザから個別に受け付け、
指定された出力コンテンツを、取得されたレポート用データに基づいて生成し、
生成された出力コンテンツを、指定された出力レイアウトに従って配置する、
生体情報処理方法。
【請求項６】
生体情報処理装置のコンピュータに、
医師の処方または運動メニューの実施の対象者から測定された生体情報と前記医師の処方または運動メニューの内容情報とを含むレポート用データを取得する取得機能と、
取得されたレポート用データに基づいて、前記医師の処方または運動メニューの実施に伴う経過観察用のレポートを編集する編集機能と、
編集されたレポートを出力する出力機能と、を実現させ、
前記編集機能は、
前記レポートの出力レイアウトに関する指定と前記レポートの出力コンテンツに関する指定とをユーザから個別に受け付ける機能と、
指定された出力コンテンツを、取得されたレポート用データに基づいて生成する機能と、
生成された出力コンテンツを、指定された出力レイアウトに従って配置する機能と、
を含む、生体情報処理プログラム。
【発明の詳細な説明】
【技術分野】
【０００１】
本発明は、生体情報処理装置、生体情報処理方法および生体情報処理プログラムに関する。
【背景技術】
【０００２】
患者に対する医師の治療行為が数週間あるいは数ヶ月以上の長期間に及ぶ場合には、容態などの経過を観察することが非常に重要であり、経過観察に有用な情報を収集する必要がある。
【０００３】
経過観察のための情報収集の必要性が高い治療法の一つに、在宅酸素療法（ＨＯＴ：home oxygen therapy）がある。在宅酸素療法は、患者の動脈血酸素飽和度（ＳｐＯ２：以下、単に「酸素飽和度」という）の数値を改善するための治療法である（例えば特許文献１参照）。
【０００４】
この治療法では、酸素供給装置、例えば酸素濃縮器を用いる。酸素濃縮器は、フィルタおよび吸気タンクを通して取り込んだ室内空気をコンプレッサにより圧縮し、圧縮空気を加減圧の切替えを繰り返しながらシーブベッドに通過させることにより高濃度酸素を生成し、鼻腔カニューラを介して高濃度酸素を患者体内に供給する。
【０００５】
患者は、自宅に酸素濃縮器を設置し、在宅時には、医師の処方に従って酸素濃縮器から高濃度酸素を吸入する。外出時には、患者は必要に応じて携帯型の酸素ボンベを使用し、酸素ボンベから高濃度酸素を吸入する。
【０００６】
酸素流量などの処方を決定した医師は、経過観察をしながら処方の見直しなどを適宜行うことにより、酸素飽和度の数値の改善を図り、ひいては患者のＱＯＬ（Quality of Life）の向上を図る。このような目的を達成するために、医師は、経過観察において、患者の容態を診るだけでなく、自らが決定した処方の的確性あるいは患者の処方遵守状況などの確認も行う必要がある。
【０００７】
また、医師の処方に基づいて治療を行う場合に限らず、健康の維持および増進を目的として予め決められたフィットネスメニューに基づいて運動をするような場合においても同様に、経過観察に有用な情報を収集することが重要である。筋力などの鍛錬を目的として予め決められたトレーニングメニューに基づいて運動をするような場合においても同様である。
【０００８】
ところで、酸素飽和度の数値改善または健康増進など、それぞれの目的を達成するには、収集された情報を適切な形で対象者（つまり患者など）に還元することが重要である。
【０００９】
通常、収集された情報は、その情報を収集した装置により、あるいはその装置からその情報をインポートした別の装置によりレポートの形式に纏められて、対象者に還元される。対象者は、ディスプレイ画面に表示されたレポートあるいは用紙に印刷されたレポートを見て、治療あるいは運動の効果を確認することができる。
【先行技術文献】
【特許文献】
【００１０】
【特許文献１】特許第２８３１３９９号公報
【発明の概要】
【発明が解決しようとする課題】
【００１１】
レポートのフォーマットとしては、様々なものが考えられる。具体的にどのようなフォーマットが望ましいと考えられるかは、様々な条件に応じて大きく異なる。
【００１２】
例えば、医師が患者の容態についてその患者に説明する場合には、患者の理解を助けるような表およびグラフなどを並べたフォーマットであることが望ましい。あるいは、医師が患者の生体情報を自らの研究に活用したい場合には、フォーマットを好みに合わせて独自のものとすることが望ましい。
【００１３】
このような判断は通常、ユーザ（医師の処方の実施に伴う経過観察の場合には、主として医師）がレポートを出力する必要が生じたときに、そのユーザによって、行われるものである。
【００１４】
しかしながら、従来の生体情報処理装置においては、その装置がユーザに提供された時点ですでに、フォーマットが容易に変更できないように設定されているため、利用可能なフォーマットの種類に限りがあった。このため、医師の処方あるいは運動メニューの実施に伴う経過観察用のレポートとして、バリエーション豊富なレポートを提供することができないという問題があった。
【００１５】
本発明の目的は、医師の処方あるいは運動メニューの実施に伴う経過観察用のレポートに関して、バリエーション豊富なレポートを提供可能であり、ユーザの利便性を向上させることができる生体情報処理装置、生体情報処理方法および生体情報処理プログラムを提供することである。
【課題を解決するための手段】
【００１６】
本発明の生体情報処理装置は、医師の処方または運動メニューの実施の対象者から測定された生体情報と前記医師の処方または運動メニューの内容情報とを含むレポート用データを取得する取得手段と、取得されたレポート用データに基づいて、前記医師の処方または運動メニューの実施に伴う経過観察用のレポートを編集する編集手段と、編集されたレポートを出力する出力手段と、を有し、前記編集手段は、前記レポートの出力レイアウトに関する指定と前記レポートの出力コンテンツに関する指定とをユーザから個別に受け付け、指定された出力コンテンツを、取得されたレポート用データに基づいて生成し、生成された出力コンテンツを、指定された出力レイアウトに従って配置する。
【００１７】
本発明の生体情報処理方法は、生体情報処理装置により実行される生体情報処理方法であって、医師の処方または運動メニューの実施の対象者から測定された生体情報と前記医師の処方または運動メニューの内容情報とを含むレポート用データを取得する取得ステップと、取得されたレポート用データに基づいて、前記医師の処方または運動メニューの実施に伴う経過観察用のレポートを編集する編集ステップと、編集されたレポートを出力する出力ステップと、を有し、前記編集ステップは、前記レポートの出力レイアウトに関する指定と前記レポートの出力コンテンツに関する指定とをユーザから個別に受け付け、指定された出力コンテンツを、取得されたレポート用データに基づいて生成し、生成された出力コンテンツを、指定された出力レイアウトに従って配置する。
【００１８】
本発明の生体情報処理プログラムは、生体情報処理装置のコンピュータに、医師の処方または運動メニューの実施の対象者から測定された生体情報と前記医師の処方または運動メニューの内容情報とを含むレポート用データを取得する取得機能と、取得されたレポート用データに基づいて、前記医師の処方または運動メニューの実施に伴う経過観察用のレポートを編集する編集機能と、編集されたレポートを出力する出力機能と、を実現させ、前記編集機能は、前記レポートの出力レイアウトに関する指定と前記レポートの出力コンテンツに関する指定とをユーザから個別に受け付ける機能と、指定された出力コンテンツを、取得されたレポート用データに基づいて生成する機能と、生成された出力コンテンツを、指定された出力レイアウトに従って配置する機能と、を含む。
【発明の効果】
【００１９】
本発明によれば、医師の処方あるいは運動メニューの実施に伴う経過観察用のレポートに関して、バリエーション豊富なレポートを提供可能であり、ユーザの利便性を向上させることができる。
【図面の簡単な説明】
【００２０】
【図１】本発明の一実施の形態に係る在宅酸素療法管理システムの構成を示すブロック図
【図２】本発明の一実施の形態に係るレポート出力処理を説明するためのフロー図
【図３】本発明の一実施の形態に係る出力コンテンツ選択処理を説明するための図
【図４】本発明の一実施の形態に係る出力レイアウト選択処理を説明するための図
【図５】本発明の一実施の形態に係るレポート種別管理テーブルを説明するための図
【図６】本発明の一実施の形態に係る設定レイアウトを説明するための図
【図７】本発明の一実施の形態に係る書式情報管理テーブルを説明するための図
【図８】本発明の一実施の形態に係る在宅酸素状況レポートの第一の例を示す図
【図９】本発明の一実施の形態に係る在宅酸素状況レポートの第二の例を示す図
【図１０】本発明の一実施の形態に係る在宅酸素状況レポートの第三の例を示す図
【図１１】本発明の一実施の形態に係る在宅酸素状況レポートの第四の例を示す図
【図１２】本発明の一実施の形態に係る在宅酸素状況レポートの第五の例を示す図
【図１３】本発明の一実施の形態に係る在宅酸素状況レポートの第六の例を示す図
【発明を実施するための形態】
【００２１】
以下、本発明の実施の形態について、図面を用いて詳細に説明する。本実施の形態では、本発明に係る生体情報処理装置を、在宅酸素療法（以下「ＨＯＴ」と略記する）に用いられる在宅酸素療法管理装置（ＨＯＴ管理装置）に適用した場合について説明する。
【００２２】
図１は、本発明の一実施の形態に係る在宅酸素療法管理システム（ＨＯＴ管理システム）の構成を示すブロック図である。図１に示すＨＯＴ管理システム１００は、酸素濃縮器１１０、パルスオキシメータ１２０、ＨＯＴ管理装置１３０、ディスプレイ装置１４０、プリンタ装置１５０、および入力装置１６０を有する。
【００２３】
図１においては上記の各機器が相互に接続された状態で示されている。しかし、酸素濃縮器１１０は通常、患者が自宅などに設置して使用する機器であり、パルスオキシメータ１２０は通常、患者が携帯して使用する機器であり、ＨＯＴ管理装置１３０は通常、医療施設などに設置されて医師などの医療従事者が使用する機器である。このため、これらの接続、特に、パルスオキシメータ１２０と酸素濃縮器１１０またはＨＯＴ管理装置１３０との接続は、常時通信可能な接続を意味するものではない。これらの機器間でのデータ通信が必要なときにのみ相互に通信可能に接続されることを意味している。
【００２４】
なお、これらの機器により取得されたデータを、リムーバブルメディアを用いて相互に授受可能な構成が採られる場合には、これらの機器間を通信可能に接続する構成は必ずしも必要ではない。また、これらの機器間でのデータ通信は、別の装置を介して行われてよい。
【００２５】
酸素濃縮器１１０は、酸素供給制御部１１１、器械動作ログ取得部１１２、時計・カレンダ機能部１１３およびデータ転送処理部１１４を有する。酸素濃縮器１１０は、既述のとおり、室内から取り込んだ空気を圧縮し、圧縮空気から高濃度酸素を生成し、鼻腔カニューラを介して高濃度酸素を患者体内に供給するための構成（図示せず）を有する。ただし、この構成は従来の酸素濃縮器と同様であるので、簡略化のためその詳細な説明を省略する。
【００２６】
なお、高濃度酸素の生成および供給のための構成は、前述のものだけに限定されない。例えば、液体酸素から高濃度酸素を生成するタイプなど、様々なタイプの酸素供給装置を使用することができる。
【００２７】
酸素供給制御部１１１は、操作者（通常は患者本人であるが、患者の家族などであってもよい）が酸素濃縮器１１０の操作部（図示せず）を操作することにより設定された酸素流量値（以下「設定流量値」ともいう）に従って、高濃度酸素の供給を制御する。通常、操作者は、予め医師が決定した処方、すなわち処方流量値（例えば、安静時は１．００Ｌ／ｍｉｎ、労作時は２．００Ｌ／ｍｉｎ、就寝時は１．５０Ｌ／ｍｉｎなど）に従って、酸素流量値を設定する。ただし、操作者の操作によって処方外の酸素流量値を設定し、その設定流量値に従って、高濃度酸素の供給を制御することも、機能的には可能である。
【００２８】
また、酸素供給制御部１１１は、設定流量値による制御の下で実際に酸素濃縮器１１０から送り出される高濃度酸素の流量値を流量センサ（図示せず）により検知する。以下、検知された流量値を「実測流量値」という。
【００２９】
器械動作ログ取得部１１２は、酸素濃縮器１１０において発生した全ての動作および事象をその発生日時と関連付けて器械動作ログとして取得し、取得した器械動作ログを内部の記憶装置（図示せず）に格納する。例えば、酸素濃縮器１１０において故障または異常が発生した場合は、その事象とその発生日時とがアラーム情報として記録され、また、酸素濃縮器１１０の電源が投入されている期間は、その日時と各時点で設定されている設定流量値とが動作情報として記録される。なお、酸素濃縮器１１０の電源が投入されている期間に、各時点で検知された実測流量値を、設定流量値に加えて記録してもよい。
【００３０】
器械動作ログ取得部１１２は、日時についての情報を時計・カレンダ機能部１１３から取得する。
【００３１】
なお、「日時」の「時」は時刻であり「日」は日付であるが、日付の情報として年月日のほかに曜日を含むこともできる。
【００３２】
データ転送処理部１１４は、酸素濃縮器１１０とパルスオキシメータ１２０とを通信可能に接続するためのコネクタ（図示せず）を有する。このコネクタを介してパルスオキシメータ１２０が酸素濃縮器１１０に接続されたときに、データ転送処理部１１４は、格納された器械動作ログの少なくとも一部、特に酸素濃縮器１１０の動作情報をパルスオキシメータ１２０に転送することができる。
【００３３】
パルスオキシメータ１２０は、酸素飽和度センサ（図示せず）と酸素飽和度計測回路（図示せず）とを有する酸素飽和度計測部１２１、データ統合部１２２、時計・カレンダ機能部１２３およびデータ転送処理部１２４を有する。酸素飽和度計測部１２１は、酸素飽和度センサにより、赤色光および赤外光を発光して患者の特定部位（例えば、指先、つま先など）に照射し、その透過光または反射光を検出することにより、検出信号を得る。酸素飽和度計測部１２１は、酸素飽和度計測回路により、検出信号を用いて、動脈血の総ヘモグロビンに対する酸化ヘモグロビンの割合を求め、動脈血の脈拍に同期する吸光度の変化を検出することにより、酸素飽和度および脈拍数（つまり脈波測定値）を計測する。さらに、酸素飽和度計測部１２１は、この計測結果をディジタルデータに変換することにより、酸素飽和度測定値および脈拍測定値を取得する。
【００３４】
データ統合部１２２は、酸素飽和度計測部１２１により取得された酸素飽和度測定値および脈拍測定値を酸素飽和度計測部１２１から取得する。データ統合部１２２は、取得した測定情報をその測定日時と関連付けてパルスオキシメータ１２０の測定情報として内部の記憶装置（図示せず）に格納する。データ統合部１２２は、日時についての情報を時計・カレンダ機能部１２３から取得する。
【００３５】
また、データ統合部１２２は、データ転送処理部１２４が酸素濃縮器１１０から受信した酸素濃縮器１１０の動作情報を取得する。そして、データ統合部１２２は、取得した動作情報を、既に格納されている測定情報と統合することにより、ＨＯＴについての情報を一元管理し得る在宅酸素療法管理情報（ＨＯＴ管理情報）を生成し、生成したＨＯＴ管理情報を、内部の記憶装置（図示せず）に格納する。
【００３６】
なお、本実施の形態では、測定情報およびＨＯＴ管理情報が格納される記憶装置は、パルスオキシメータ１２０に内蔵されたものであるが、この記憶装置はリムーバブルメディアであってもよい。
【００３７】
データ転送処理部１２４は、パルスオキシメータ１２０と酸素濃縮器１１０とを通信可能に接続するためのコネクタ（図示せず）を有する。このコネクタを介してパルスオキシメータ１２０が酸素濃縮器１１０に通信可能に接続されたときに、データ転送処理部１２４は、器械動作ログの少なくとも一部、特に酸素濃縮器１１０の動作情報を、酸素濃縮器１１０から受信することができる。
【００３８】
また、データ転送処理部１２４は、パルスオキシメータ１２０がＨＯＴ管理装置１３０に接続されたときに、データ統合部１２２に格納されたＨＯＴ管理情報をＨＯＴ管理装置１３０に転送することができる。
【００３９】
ＨＯＴ管理装置１３０は、典型的にはパソコンにおいて実現される装置であり、データ転送処理部１３１、記憶部１３２およびデータ解析部１３３を有する。
【００４０】
データ転送処理部１３１は、パルスオキシメータ１２０とＨＯＴ管理装置１３０とを通信可能に接続するためのコネクタ（図示せず）を有する。このコネクタを介してパルスオキシメータ１２０がＨＯＴ管理装置１３０に接続されたときに、データ転送処理部１３１は、ＨＯＴ管理情報をパルスオキシメータ１２０から受信し、このＨＯＴ管理情報を記憶部１３２に格納することができる。
【００４１】
なお、データ転送処理部１３１は、リムーバブルメディアを接続するためのコネクタを有する構成であってもよい。この場合、データ転送処理部１３１は、このコネクタに接続されたリムーバブルメディアからＨＯＴ管理情報を読み取り、読み取ったＨＯＴ管理情報を記憶部１３２に格納することができる。
【００４２】
データ解析部１３３は、ＣＰＵ（Central Processing Unit）などの演算装置（図示せず）を有する。この演算装置で生体情報処理プログラムが実行されると、処方の実施に伴う経過観察用レポートである在宅酸素状況レポート（以下、単に「レポート」という）の出力処理に必要な種々の機能が実現される。このレポート出力処理により作成されるレポートは、ディスプレイ装置１４０の画面に表示されることにより、あるいは、プリンタ装置１５０によって用紙に印刷されることにより、出力される。レポート出力処理については後で具体的に説明する。
【００４３】
また、データ解析部１３３は、医師が例えばマウスまたはキーボードなどの入力装置１６０を操作することにより何らかの情報が手入力された場合に、その情報を記憶部１３２に格納することができる。患者の氏名、生年月日および体重などのような個人情報である患者情報、ならびに、医師が処方として決定した内容（例えば処方流量値など）を示す処方内容情報などは、入力装置１６０の操作によって手入力されてもよいし、他の方法によって入力されてもよい。
【００４４】
記憶部１３２は、ＨＯＴ管理情報、患者情報および処方内容情報などを記憶する。ＨＯＴ管理装置１３０が利用される病院名などの病院情報も、記憶することができる。さらに、記憶部１３２は、ＨＯＴ管理情報に対する解析処理およびレポートの出力処理など、様々な処理を行うための生体情報処理プログラムを記憶する。
【００４５】
次いで、上記構成を有するＨＯＴ管理システムを用いてＨＯＴを管理する手順の一例について、簡単に説明する。
【００４６】
医師は、ＨＯＴの対象者である患者について酸素の処方を決定すると、その内容を患者に通知してＨＯＴについての指導を行う。また、医師は、その決定事項を、入力装置１６０を操作してＨＯＴ管理装置１３０に入力する。入力された情報は、処方内容情報として記憶部１３２に記憶される。ＨＯＴ管理装置１３０には、予め患者情報が入力されて記憶部１３２に格納されており、処方内容情報は、患者情報と関連付けられて記憶部１３２に格納される。
【００４７】
患者は、医師からＨＯＴについての指導を受けた後、次回の受診日まで、処方に従って酸素濃縮器１１０を動作させて酸素吸入を行いながら、通常の日常生活を送る。なお、以下の説明においては、患者が日常生活を送りつつ医師の処方に基づいてＨＯＴとしての酸素吸入を適宜行うことを、「処方を実施する」という。処方実施中、前述の動作情報（つまり、酸素濃縮器１１０の動作日時および各時点での設定流量値）が、器械動作ログ取得部１１２内に格納される。
【００４８】
患者は、処方実施中、指導に従って定期的にまたは不定期に、パルスオキシメータ１２０を用いて酸素飽和度の計測を行う。一般に、一回の計測は数秒から数十秒で行うことができる。計測結果は、前述の測定情報としてデータ統合部１２２内に格納される。
【００４９】
さらに、患者は、処方実施中、指導に従って定期的にまたは不定期に、パルスオキシメータ１２０を酸素濃縮器１１０に通信可能に接続する。これらが接続されると、酸素濃縮器１１０からパルスオキシメータ１２０に動作情報が取り込まれ、この動作情報が測定情報と統合されてＨＯＴ管理情報としてデータ統合部１２２内に格納される。したがって、処方実施中、様々な情報がＨＯＴ管理情報としてパルスオキシメータ１２０に収集される。
【００５０】
なお、動作情報に示される動作日時と測定情報に示される測定日時とは、互いに矛盾せず且つ正確であることが、適切なＨＯＴ管理を行ううえで望ましい。しかし実際には、各機器の継続使用に伴ってある程度の誤差が生じる可能性があるほか、初期設定の時点で誤差が生じている可能性もある。したがって、これらの日時を互いに矛盾なく且つ正確なものにするために何らかの方策（時計合わせ）を採り入れる必要がある。時計合わせの手法としては様々なものが考えられるが、その具体的内容は本発明の範囲外であるので、本実施の形態では、その詳細な説明を省略するとともに、これらの日時がいずれも正確であることを前提とする。
【００５１】
次の受診日が来ると、患者は、パルスオキシメータ１２０を携帯して病院に行き、これを医師に手渡す。医師は、パルスオキシメータ１２０をＨＯＴ管理装置１３０に通信可能に接続する。これらが接続されると、パルスオキシメータ１２０からＨＯＴ管理装置１３０にＨＯＴ管理情報が取り込まれる。このＨＯＴ管理情報は、患者情報および処方内容情報と関連付けられて記憶部１３２に格納される。
【００５２】
ＨＯＴ管理情報がＨＯＴ管理装置１３０にインポートされると、医師は、ＨＯＴ管理装置１３０にレポート出力処理を実行させレポートを表示または印刷させることができる。
【００５３】
医師は、表示または印刷されたレポートを見て処方実施の状況および容態改善の状況などを把握する。また、医師は、レポートを患者に見せてその内容を患者に説明しながら患者に理解させる。そして、医師は、処方実施の結果を踏まえ、これまで実施した処方が的確であったかどうかなどを判断し、必要に応じて処方の変更などを検討し、患者に対してあらためて処方についての説明および指導を行う。患者は、さらに次回の受診日まで引き続き処方を実施する。
【００５４】
上記のレポート出力処理は、ＨＯＴ管理装置１３０のデータ解析部１３３により実行される。
【００５５】
図２は、このレポート出力処理を説明するためのフロー図である。なお、以下説明するレポート出力処理は、レポートの印刷を行うためのものであるが、同様の手順によりレポートの画面表示を行うこともできる。
【００５６】
〔ステップＳ１００：出力コンテンツ選択処理〕
まず、レポートの出力コンテンツが決定される（ステップＳ１００）。
【００５７】
医師が入力装置１６０を用いて所定の操作を行うと、その操作に応じた入力信号がデータ解析部１３３に入力される。データ解析部１３３は、入力信号が出力コンテンツの選択要求コマンドであると解釈すると、出力コンテンツのユーザ指定を可能にするために例えば図３に示すようなレポート印刷設定用のウィンドウ１７０を、ディスプレイ装置１４０の画面に表示させる。
【００５８】
図３に示すように、レポート印刷設定用のウィンドウ１７０においては、レイアウト表示部１７０ａに、それぞれ予め設定された複数のレイアウト（以下「設定レイアウト」という）が並べて表示される。
【００５９】
例えば、ウィンドウ内の一番左に表示されたレポート「表紙１」に関しては、設定レイアウトが、内部にコンテンツを描画可能な領域（以下「コンテンツ描画領域」という）を複数有しており、それらが所定の位置に配置されていることが、示されている。そして、レポートの中段右側のコンテンツ描画領域における出力コンテンツとして何らかの図表を指定し得ることが示されている。また、レポートの下段のコンテンツ描画領域における出力コンテンツとして何らかのグラフを指定し得ることが示されている。
【００６０】
レイアウト表示部１７０ａの下部にはプルダウンメニュー表示部１７０ｂがあり、種々の情報を含むレポート用データに基づいて生成し得るものとして予め設定されたコンテンツ（以下「設定コンテンツ」という）の一覧（プルダウンメニュー）が表示される。
【００６１】
図表のプルダウンメニューに含まれる設定コンテンツとしては、酸素吸入時間、時間帯平均および曜日別平均などがある。また、グラフのプルダウンメニューに含まれる設定コンテンツとしては、流量別平均、ＳｐＯ２トレンドおよび安静時脈拍数などがある。医師は、入力装置１６０を操作することによりプルダウンメニューから複数の設定コンテンツのうちの任意の一つを出力コンテンツとして選択することができる。
【００６２】
例えば、ウィンドウ内の一番左に表示されたレポート「表紙１」に関しては、酸素吸入時間に関する図表および流量別平均に関するグラフが出力コンテンツとして選択されていることが、示されている。なお、レポート「表紙１」におけるその他のコンテンツ描画領域については、プルダウンメニューが表示されず、出力コンテンツのユーザ指定ができないようになっている。
【００６３】
図３に示すレポート印刷設定用のウィンドウ１７０には、五種類のレイアウトのレポートが表示されているため、異なるレイアウトを有する複数のレポートについて、一括で出力コンテンツを指定することができる。
【００６４】
医師がそれぞれのレポートについて出力コンテンツの選択を行い、ＯＫボタンをクリックすると、選択結果がコンテンツ指定情報としてデータ解析部１３３に入力される。データ解析部１３３はそのコンテンツ指定情報を受け付けて、それぞれのレイアウトを有するレポートにおける出力コンテンツを確定させる。
【００６５】
なお、上記の出力コンテンツ選択処理は、任意のときに行うことができ、ＨＯＴ管理情報がパルスオキシメータ１２０からＨＯＴ管理装置１３０にインポートされた後でなくてもよい。
【００６６】
このように、本実施の形態では、レポートの出力レイアウトおよび出力コンテンツに関して多数の選択肢がユーザに対して与えられており、レポートのフォーマットに豊富なバリエーションを持たせることができる。
【００６７】
その一方で、コンテンツ描画領域のそれぞれにおいて描画可能なコンテンツの種類が、コンテンツ描画領域毎に制限されている。
【００６８】
このため、例えば患者情報を上段左側に配置してグラフなどの情報を比較的下段側に配置するなど、定型化されているレイアウトについては、変えられないようにすることができる。これにより、基本的レイアウトをテンプレート化することができ、ユーザのレポート作成作業の効率を向上させることができる。
【００６９】
〔ステップＳ２００：出力レイアウト選択処理〕
次いで、レポートの出力レイアウトが決定される（ステップＳ２００）。
【００７０】
医師が入力装置１６０を用いて所定の操作を行うと、その操作に応じた入力信号がデータ解析部１３３に入力される。データ解析部１３３は、入力信号がレポートの印刷要求コマンドであると解釈すると、印刷用のウィンドウを、ディスプレイ装置１４０の画面に表示させる。図４に示すように、印刷用のウィンドウ１７１においては、印刷種別として出力レイアウトのユーザ指定が可能となっている。図示された例では、最大で六種類のレポートの印刷を要求することができ、印刷を要求するそれぞれのレポートについて、出力レイアウトを選択することができるようになっている。医師が出力レイアウトの選択を行うと、選択結果がレイアウト指定情報としてデータ解析部１３３に入力される。データ解析部１３３は、そのレイアウト指定情報を受け付けて、レポートの出力レイアウトを確定させる。
【００７１】
そして、印刷用のウィンドウ１７１内の印刷ボタンをクリックする操作が行われると、後述するステップＳ３００以降の処理が行われる。
【００７２】
ところで、図３を用いて説明したレポート印刷設定用のウィンドウ１７０においては、出力コンテンツのユーザ指定が可能なレポートが五種類に限定されていたが、実際に出力可能なレポートの種類はそれよりも多く設定することができる。出力可能なレポートの種類は、図５に示すレポート種別管理テーブル１７２により管理されている。このレポート種別管理テーブル１７２は、記憶部１３２に記憶されている。
【００７３】
レポート種別管理テーブル１７２においては、ｎ種類（ｎは２以上の整数）のレポートがそれぞれ、シリアル番号１〜ｎを付与されて定義されている。例えば、レポート種別１として、図３において名称「表紙１」を付与されているレポートを定義することができる。また、レポート種別２として、図３において名称「表紙２」を付与されているレポートを定義することができる。また、レポート種別３として、図３において名称「表紙３」を付与されているレポートを定義することができる。また、レポート種別４として、図３において名称「詳細１」を付与されているレポートを定義することができる。また、レポート種別５として、図３において名称「詳細２」を付与されているレポートを定義することができる。また、レポート種別６として、図３には図示されていない別のレポート（例えば、タイムチャート）を定義することができる。
【００７４】
これにより、レポート種別管理テーブル１７２に列挙されているレポートの設定レイアウトを、レポート毎に個別に設定することができる。
【００７５】
図６は、図３において名称「表紙１」を付与されているレポートについての設定レイアウトを示す図である。
【００７６】
レポート領域１７３内には、複数のコンテンツ描画領域１７３ａ〜１７３ｋが配置されている。各コンテンツ描画領域１７３ａ〜１７３ｋについて座標情報が予め設定されており、その座標情報に基づいて各コンテンツ描画領域１７３ａ〜１７３ｋの位置、サイズおよび形状などが特定されるようになっている。なお、図６において各コンテンツ描画領域１７３ａ〜１７３ｋ内に示す括弧付きの数字は、各コンテンツ描画領域１７３ａ〜１７３ｋに割り当てられた固有の座標情報を表している。また、ここに例示した各コンテンツ描画領域１７３ａ〜１７３ｋの形状はいずれも矩形であるが、別の形状も可能である。
【００７７】
このような設定レイアウトは、レポート種別毎に指定可能な出力レイアウトとともに、書式情報として、図７に示す書式情報管理テーブル１７４により管理されている。この書式情報管理テーブル１７４は、記憶部１３２に記憶されている。
【００７８】
書式情報管理テーブル１７４において、「レポート種別」カラムは、対象のレポートの種類を特定するものである。「表紙１」のレポートについて設定されたデータは全て、「レポート種別」カラムが「表紙１」となっている。
【００７９】
「コンテンツ種別」カラムは、「レポート種別」により特定されたレポートにおいて出力可能なコンテンツの種類を特定するものである。この例では、「表紙１」のレポートにおいて出力可能なコンテンツが「ヘッダー情報」、「マーク情報」および「処方コメント」などであることが、示されている。
【００８０】
「名称」カラムは、「コンテンツ種別」により特定されたコンテンツの名称を特定するものである。付与された名称は、レポートなどにおいてタイトルとして使用される。この例では、「表紙１」のレポートについて、「レポート書式名」というコンテンツは名称「表紙１」を付与されており、「患者情報」というコンテンツは名称「患者情報」を付与されていることが、示されている。
【００８１】
「座標」カラムは、各コンテンツが出力されるコンテンツ描画領域の座標を特定するものである。例えば、「レポート表題」というコンテンツは座標（１）のコンテンツ描画領域１７３ａ（図６参照）に割り当てられることが、示されている。
【００８２】
ここで、座標（７）のコンテンツ描画領域１７３ｇ（図６参照）および座標（８）のコンテンツ描画領域１７３ｈについてはそれぞれ、「コンテンツ種別」として、種類のユーザ指定が可能なコンテンツである「図表１」および「グラフ１」が設定されている。そして、これらの詳細については、「レポート種別」に「図表１」および「グラフ１」が付与された個所において特定されている。
【００８３】
すなわち、書式情報管理テーブル１７４において、「レポート種別」が「表紙１」となっているデータを参照すると、例えば座標（７）には「図表１」が出力可能であることが、示されている。そして、「レポート種別」が「図表１」となっているデータを参照すると、「図表１」として「酸素吸入時間」という名称を付与されている図表が出力されるように設定されていることが、示されている。
【００８４】
なお、各レポートの設定レイアウトについては、図７に示すような書式情報管理テーブル１７４により出力可能なコンテンツなどが管理されているが、テキストのフォントおよびグラフのデザインなど、様々な書式設定も別途管理されている。
【００８５】
このように、本実施の形態では、出力コンテンツに関する指定を行うことができるだけでなく、出力レイアウトに関する指定も別途行うことができる。このため、ユーザは選択肢の中から所望のレイアウトを選択するだけでレポートのレイアウトを自由に決めることができる。しかも、自らレイアウトを設計する必要がないため、レポート作成の手間の増大も抑制することができる。
【００８６】
〔ステップＳ３００：レポート用データ読み出し処理〕
次いで、レポート用データが読み出される（ステップＳ３００）。
【００８７】
データ解析部１３３は、レポート作成に必要なデータ、具体的には、患者情報、処方内容情報およびＨＯＴ管理情報などを、レポート用データとして、記憶部１３２から読み出す。
【００８８】
〔ステップＳ４００：出力コンテンツ生成処理〕
次いで、読み出されたレポート用データに基づいて、出力コンテンツが生成される（ステップＳ４００）。
【００８９】
レポート用データが読み出されると自動的に出力コンテンツの生成が行われる。生成される出力コンテンツは、ステップＳ２００において選択された出力レイアウトを有するレポートにおける各コンテンツ描画領域に割り当てられたコンテンツである。
【００９０】
したがって、例えば図６および図７を参照すると、座標（１）のコンテンツ描画領域１７３ａには、レポート表題を出力することが設定されており、レポート表題として名称「在宅酸素状況レポート」が付与されている。よって、データ解析部１３３は、コンテンツ描画領域１７３ａに「在宅酸素状況レポート」というテキストが所定の書式設定に従って出力されるように、出力コンテンツを生成する。
【００９１】
座標（２）のコンテンツ描画領域１７３ｂには、ヘッダー情報を出力することが設定されている。よって、データ解析部１３３は、例えば患者情報などを利用して、例えば患者ＩＤおよびレポート作成日などを含むテキストが所定の書式設定に従って出力されるように、出力コンテンツを生成する。
【００９２】
座標（３）のコンテンツ描画領域１７３ｃには、マーク情報を出力することが設定されている。よって、データ解析部１３３は、患者情報、処方内容情報およびＨＯＴ管理情報などに所定の解析アルゴリズムを適用して患者の容態についての総合評価を行う。データ解析部１３３は、その結果がイラストとともに所定の書式設定に従って出力されるように、出力コンテンツを生成する。なお、イラストの種類は、図４に示す印刷用のウィンドウ１７１においてユーザ指定可能である。
【００９３】
座標（４）のコンテンツ描画領域１７３ｄには、処方コメントを出力することが設定されている。よって、データ解析部１３３は、上記の解析アルゴリズムの評価結果に応じて所定の文章がテキストとして所定の書式設定に従って出力されるように、出力コンテンツを生成する。なお、解析アルゴリズムの評価結果に基づいて自動的に処方コメントを決定する代わりに、医師が入力装置１６０を操作して処方コメントを手入力してもよい。例えば、図４に示す印刷用のウィンドウ１７１において入力可能である。
【００９４】
座標（５）のコンテンツ描画領域１７３ｅには、患者情報を出力することが設定されている。よって、データ解析部１３３は、患者情報を利用して、患者の氏名などを含むテキストが所定の書式設定に従って出力されるように、出力コンテンツを生成する。
【００９５】
座標（６）のコンテンツ描画領域１７３ｆには、処方流量を出力することが設定されている。よって、データ解析部１３３は、処方内容情報を利用して、処方流量の説明がテキストとして所定の書式設定に従って出力されるように、出力コンテンツを生成する。
【００９６】
座標（７）のコンテンツ描画領域１７３ｇには、酸素吸入時間を出力することが設定されている。よって、データ解析部１３３は、ＨＯＴ管理情報を利用して、酸素吸入時間の説明が図表として所定の書式設定に従って出力されるように、出力コンテンツを生成する。
【００９７】
座標（８）のコンテンツ描画領域１７３ｈには、流量別平均を出力することが設定されている。よって、データ解析部１３３は、ＨＯＴ管理情報を利用して、流量別平均の説明がグラフとして所定の書式設定に従って出力されるように、出力コンテンツを生成する。
【００９８】
座標（９）のコンテンツ描画領域１７３ｉには、処方外流量を出力することが設定されている。よって、データ解析部１３３は、ＨＯＴ管理情報を利用して、処方外流量の説明がテキストとして所定の書式設定に従って出力されるように、出力コンテントを生成する。
【００９９】
座標（１０）のコンテンツ描画領域１７３ｊには、表示期間を出力することが設定されている。よって、データ解析部１３３は、表示期間の説明がテキストとして所定の書式設定に従って出力されるように、出力コンテンツを生成する。表示期間情報は、医師が入力装置１６０を操作することにより入力可能である。
【０１００】
座標（１１）のコンテンツ描画領域１７３ｋには、病院情報を出力することが設定されている。よって、データ解析部１３３は、病院情報を利用して、病院名などの説明がテキストとして所定の書式設定に従って出力されるように、出力コンテンツを生成する。病院情報は、例えば図４に示す印刷用のウィンドウ１７１において入力可能である。
【０１０１】
〔ステップＳ５００：出力コンテンツ配置処理〕
次いで、ステップＳ４００において生成された各出力コンテンツが、ステップＳ２００において決定された出力レイアウトに従って配置される（ステップＳ５００）。例えば、「レポート表題」は、図７に示す書式情報管理テーブル１７４において座標（１）に関連付けられているため、図６に示すレポート描画領域１７３において上段中央に位置する座標（１）に配置される。
【０１０２】
〔ステップＳ６００：レポート印刷処理〕
最後に、レポートが、プリンタ装置１５０によって用紙に印刷される（ステップＳ６００）。
【０１０３】
以下、出力可能なレポートについて、幾つかの例を挙げて説明する。
【０１０４】
図８は、レポートの第一の例を示す。このレポート１８１は、図３において名称「表紙１」を付与されているレポートの出力例である。
【０１０５】
コンテンツ描画領域（以下、単に「描画領域」という）１８１ａにはレポート表題が描画され、描画領域１８１ｂにはヘッダー情報として患者のＩＤおよびレポートの作成日が描画されている。描画領域１８１ｃには、容態の経過が良好であることを意味するマーク情報が描画されている。描画領域１８１ｄには、処方コメントを描画することができるが、この例ではブランクとなっている。描画領域１８１ｅには、患者の氏名などの患者情報が描画されている。
【０１０６】
描画領域１８１ｆには、処方流量が描画されている。図８の例では、処方内容情報に基づいて、安静時の処方流量値が１．００Ｌ／ｍｉｎであり、労作時の処方流量値が２．００Ｌ／ｍｉｎであり、就寝時の処方流量値が０．５０Ｌ／ｍｉｎであることが、描画されている。また、処方内容情報に基づいて、１．００Ｌ／ｍｉｎでの所要酸素吸入時間が８時間／日であること、２．００Ｌ／ｍｉｎでの所要酸素吸入時間が１時間／日であること、および０．５０Ｌ／ｍｉｎでの所要酸素吸入時間が５時間／日であることが、描画されている。
【０１０７】
描画領域１８１ｇには、前述の出力コンテンツ選択処理によってユーザ指定可能な酸素吸入時間が示されている。ここでは、実際に酸素吸入を行った時間が示されるため、表示期間情報とＨＯＴ管理情報における動作情報とが参照される。図８の例では、安静時の処方流量値すなわち１．００Ｌ／ｍｉｎを設定流量値として酸素吸入を行った合計時間（３６３時間３３分）などが算出され、図表化されて描画されている。
【０１０８】
描画領域１８１ｈには、前述の出力コンテンツ選択処理によってユーザ指定可能な流量別平均が描画されている。ここでは、流量別の酸素飽和度の平均値、最大値および最小値が描画されるため、表示期間情報ならびにＨＯＴ管理情報における動作情報および測定情報が参照される。図８の例では、安静時の処方流量値すなわち１．００Ｌ／ｍｉｎを設定流量値として酸素吸入を行ったときの酸素飽和度の平均値（９２．２％）などが算出され、グラフ化されて描画されている。なお、描画領域１８１ｇに示される流量別平均の図表に対してハッチング（または色）の整合をとることにより、コンテンツ同士の対応関係を理解しやすくすることができる。
【０１０９】
描画領域１８１ｉには処方外流量が描画され、描画領域１８１ｊには表示期間が描画され、描画領域１８１ｋには病院情報が描画されている。
【０１１０】
図９は、レポートの第二の例を示す。このレポート１８２は、図３において名称「表紙２」を付与されているレポートの出力例である。
【０１１１】
描画領域１８２ａにはレポート表題が描画され、描画領域１８２ｂにはヘッダー情報が描画されている。描画領域１８２ｃには、容態の経過が良好であることを意味するマーク情報が描画されている。描画領域１８２ｄには、処方コメントを描画することができるが、この例ではブランクとなっている。描画領域１８２ｅには、患者の氏名などの患者情報が描画されている。描画領域１８２ｆには、図８の描画領域１８１ｆと同様に処方流量が描画されている。
【０１１２】
描画領域１８２ｇには、前述の出力コンテンツ選択処理によってユーザ指定可能な時間帯平均が描画されている。ここでは、時間帯別の酸素飽和度の平均値、最大値および最小値が描画されるため、表示期間情報およびＨＯＴ管理情報における測定情報が参照される。図９の例では、朝の時間帯における酸素飽和度の平均値（９３．９％）などが算出され、図表化されて描画されている。
【０１１３】
描画領域１８２ｈには、前述の出力コンテンツ選択処理によってユーザ指定可能な曜日別平均が描画されている。ここでは、曜日別の酸素飽和度および脈拍数の各平均値が描画されるため、表示期間情報およびＨＯＴ管理情報における測定情報が参照される。図９の例では、曜日別且つ時間帯別の算出結果が算出され、図表化されて描画されている。
【０１１４】
描画領域１８２ｉには、前述の出力コンテンツ選択処理によってユーザ指定可能なＳｐＯ２トレンドが描画されている。ここでは、ＨＯＴ管理情報における測定情報が参照され、過去一年間の酸素飽和度の平均を月別且つ時間帯別に算出され、グラフ化されて描画されている。
【０１１５】
描画領域１８２ｊには処方外流量が描画され、描画領域１８２ｋには表示期間が描画され、描画領域１８２ｌには病院情報が描画されている。
【０１１６】
図１０は、レポートの第三の例を示す。このレポート１８３は、図３において名称「表紙３」を付与されているレポートの出力例である。
【０１１７】
描画領域１８３ａにはレポート表題が描画され、描画領域１８３ｂにはヘッダー情報が描画され、描画領域１８３ｃには容態の経過が良好であることを意味するマーク情報が描画されている。描画領域１８３ｄには、処方コメントを描画することができるが、この例ではブランクとなっている。描画領域１８３ｅには患者の氏名などの患者情報が描画され、描画領域１８３ｆには表示期間が描画されている。
【０１１８】
描画領域１８３ｇには、前述の出力コンテンツ選択処理によってユーザ指定可能な酸素利用状況が描画されている。ここでは、処方流量値、ならびに処方流量値毎の使用時間、酸素飽和度平均値および脈拍数平均値が算出され、表として描画される。このため、表示期間情報、処方内容情報ならびにＨＯＴ管理情報における測定情報および動作情報が参照される。描画領域１８３ｈには処方外流量が描画される。
【０１１９】
描画領域１８３ｉには、図９における描画領域１８２ｉと同様に、前述の出力コンテンツ選択処理によってユーザ指定可能なＳｐＯ２トレンドが描画されている。描画領域１８３ｊには病院情報が描画されている。
【０１２０】
図１１は、レポートの第四の例を示す。このレポート１８４は、図３において名称「詳細１」を付与されているレポートの出力例である。
【０１２１】
描画領域１８４ａにはヘッダー情報が描画され、描画領域１８４ｂには患者情報が描画され、描画領域１８４ｃには処方流量が描画されている。
【０１２２】
描画領域１８４ｄには、前述の出力コンテンツ選択処理によってユーザ指定可能な脈拍数分布が描画されている。ここでは、横軸に脈拍数をとり縦軸に酸素飽和度をとり、表示期間における測定結果が図表化され描画されている。プロットされる点の形状を描画領域１８４ｃの処方流量に付記したマークと一致させることにより、各測定結果の測定日時における設定流量値を一目瞭然とすることができる。
【０１２３】
描画領域１８４ｅには、前述の出力コンテンツ選択処理によってユーザ指定可能な時間帯分布が描画されている。ここでは、横軸に時刻をとり縦軸に酸素飽和度をとり、表示期間における測定結果が図表化され描画されている。上記の脈拍数分布と同様に、プロットされる点の形状を処方流量に付記したマークと一致させている。
【０１２４】
描画領域１８４ｆには、前述の出力コンテンツ選択処理によってユーザ指定可能なバイタルトレンドが描画されている。ここでは、体重、最高血圧および最低血圧の毎月の測定値が、図表化されて描画されている。
【０１２５】
描画領域１８４ｇには、前述の出力コンテンツ選択処理によってユーザ指定可能な酸素飽和度が描画されている。ここでは、設定流量値毎の測定回数および酸素飽和度平均などが算出され、図表化されて描画されている。
【０１２６】
描画領域１８４ｈには、前述の出力コンテンツ選択処理によってユーザ指定可能な安静時脈拍数が描画されている。ここでは、過去約１２０日間の安静時（つまり設定流量値１．００Ｌ／ｍｉｎ）に測定された脈拍数の変動がグラフ化されて描画されている。
【０１２７】
描画領域１８４ｉには処方外流量が描画され、描画領域１８４ｊには表示期間が描画されている。
【０１２８】
図１２は、レポートの第五の例を示す。このレポート１８５は、図３において名称「詳細２」を付与されているレポートの出力例である。
【０１２９】
描画領域１８５ａにはヘッダー情報が描画され、描画領域１８５ｂには患者情報が描画され、描画領域１８５ｃには処方流量が描画されている。
【０１３０】
描画領域１８５ｄ、１８５ｅにはそれぞれ、前述の出力コンテンツ選択処理によってユーザ指定可能な安静時および労作時の情報が、処方内容情報ならびにＨＯＴ管理情報における動作情報および測定情報に基づいて纏めて図表化されて描画されている。
【０１３１】
描画領域１８５ｆ、１８５ｇ、１８５ｈにはそれぞれ、図１１における描画領域１８４ｄ、１８４ｅ、１８４ｆと同様に、脈拍数分布、時間帯分布およびバイタルトレンドが描画されている。
【０１３２】
描画領域１８５ｉには、前述の出力コンテンツ選択処理によってユーザ指定可能な酸素利用状況が描画されている。ここでは、同じく酸素利用状況が描画されている図１０の描画領域１８３ｇとは異なり、前回受診日から今回受診日までの３０日間の利用状況が、前々回受診日から前回受診日までの３０日間の利用状況と比較可能な形式で図表化され、描画されている。このように、本実施の形態では、同じ名称のコンテンツであっても、必要に応じて異なる解析を行うことにより、異なる態様のコンテンツとして出力することができる。
【０１３３】
描画領域１８５ｊには処方外流量が描画され、描画領域１８５ｋには表示期間が描画されている。
【０１３４】
図１３は、レポートの第六の例を示す。このレポート１８６は、図３において例示されていないレポート種別であるタイムチャートの出力例である。すなわち、このタイムチャートには、前述の出力コンテンツ選択処理によってユーザ指定可能なコンテンツが存在しない。
【０１３５】
描画領域１８６ａにはヘッダー情報が描画され、描画領域１８６ｂには患者情報が描画され、描画領域１８６ｃには処方流量が描画されている。
【０１３６】
描画領域１８６ｄには、過去１ヶ月における酸素吸入の状況が、ＨＯＴ管理情報における動作情報に基づくタイムチャートの形式で描画されている。
【０１３７】
以上のように、本実施の形態によれば、出力レイアウトについての選択肢と出力コンテンツについての選択肢とがそれぞれユーザに与えられ、ユーザはそれらのうち所望のものを個別に選択するだけでレポートのフォーマットを決定することができる。このため、非常に多様なフォーマットのレポートを自由に且つ簡単に作成することができる。
【０１３８】
経過観察のためのレポートにあっては、観察する内容が異なる場合はもちろんのこと、観察する内容が同じであっても観察する期間の長さが異なる場合も、ユーザが出力したいと考えるコンテンツが異なり、それに応じて望ましいレイアウトも異なる。さらに、経過観察の途中で処方の変更があれば、その変更前後での比較が可能なレイアウトおよびコンテンツが望ましい場合もある。さらに、長期間にわたって生体情報などのデータを収集すれば、様々な観点での統計的解析が可能となるため、ユーザが出力したいと考えるコンテンツのバリエーションが一段と増大する。したがって、本実施の形態において例示したように、本発明は、長期間にわたる経過観察のためのレポート作成の用途に、特に適している。
【０１３９】
なお、本実施の形態では、酸素の処方の実施に伴う経過観察を対象としたが、薬の処方の実施に伴う経過観察を対象とすることもできる。また、言うまでもなく、測定対象の生体情報は、酸素飽和度および脈拍数に限定されない。
【０１４０】
また、本実施の形態では、医師の処方の実施に伴う経過観察を対象としたが、フィットネスメニューあるいはトレーニングメニューのような運動メニューの実施に伴う経過観察を対象とすることもできる。
【０１４１】
以上、本発明の実施の形態について説明した。以上の説明は本発明の好適な実施の形態の例証であり、本発明の範囲はこれに限定されず、上記実施の形態は種々変更して実施することができる。
【符号の説明】
【０１４２】
１００  在宅酸素療法管理システム
１１０  酸素濃縮器
１１１  酸素供給制御部
１１２  器械動作ログ取得部
１１３、１２３  時計・カレンダ機能部
１１４、１２４、１３１  データ転送処理部
１２０  パルスオキシメータ
１２１  酸素飽和度計測部
１２２  データ統合部
１３０  在宅酸素療法管理装置
１３２  記憶部
１３３  データ解析部
１４０  ディスプレイ装置
１５０  プリンタ装置
１６０  入力装置
【図１】
2011177236.tif 000003
【図２】
2011177236.tif 000004
【図３】
2011177236.tif 000005
【図４】
2011177236.tif 000006
【図５】
2011177236.tif 000007
【図６】
2011177236.tif 000008
【図７】
2011177236.tif 000009
【図８】
2011177236.tif 000010
【図９】
2011177236.tif 000011
【図１０】
2011177236.tif 000012
【図１１】
2011177236.tif 000013
【図１２】
2011177236.tif 000014
【図１３】
2011177236.tif 000015